(57)【特許請求の範囲】
【請求項１】
少なくとも２つの導電体と前記２つの導電体の間に設けられている端子台側絶縁壁とを有する端子台に取り付けられる絶縁カバーであって、
一方の壁面が前記端子台側絶縁壁の一方の壁面に対面するカバー側絶縁壁と、
前記カバー側絶縁壁の他方の壁面が前記端子台側絶縁壁の他方の壁面に対面するように当該絶縁カバーが取り付けられようとした場合に前記端子台側絶縁壁に当接して取り付けを規制する規制部と、
を備える、絶縁カバー。
【請求項２】
前記カバー側絶縁壁と前記規制部とは、当該絶縁カバーの取り付け方向において、当該取り付け方向前端の位置が略一致している、請求項１に記載の絶縁カバー。
【請求項３】
前記端子台は、３つの前記導電体と、隣り合う２つの前記導電体の間にそれぞれ設けられている２つの前記端子台側絶縁壁とを有するものであり、
当該絶縁カバーは、前記２つの端子台側絶縁壁の間に入り込む２つの前記カバー側絶縁壁であって、一方の前記カバー側絶縁壁が一方の前記端子台側絶縁壁に対面し、他方の前記カバー側絶縁壁が他方の前記端子台側絶縁壁に対面する２つの前記カバー側絶縁壁を備え、
前記規制部は、前記一方のカバー側絶縁壁と前記他方のカバー側絶縁壁とを接続している接続壁である、請求項１又は請求項２に記載の絶縁カバー。
【請求項４】
前記端子台は前記接続壁の壁面に対面する面を有し、
当該絶縁カバーは前記端子台に取り付けられる際に前記接続壁の前記壁面が前記対面する面に平行な方向に移動しながら取り付けられるものであり、
前記接続壁の前記壁面に、当該絶縁カバーの取り付け方向前側に向かって前記対面する面から離間するように傾斜するテーパ面が形成されている、請求項３に記載の絶縁カバー。
【請求項５】
少なくとも２つの導電体と前記２つの導電体の間に設けられている端子台側絶縁壁とを有する端子台と、
請求項１乃至請求項４のいずれか一項に記載の絶縁カバーと、
を備える絶縁カバー付き端子台。
【発明の詳細な説明】
【技術分野】
【０００１】
本明細書で開示する技術は、端子台に取り付けられる絶縁カバー、及び、絶縁カバー付き端子台に関する。
【背景技術】
【０００２】
従来、少なくとも２つの導電体を有する端子台に取り付けられる絶縁カバーが知られている（例えば、特許文献１参照）。具体的には、特許文献１の背景技術に記載されているブレーカは複数の電源側接続端子台（導電体に相当）を有しており、それら複数の電源側接続端子台にそれぞれ電線の圧着端子が締結具によって締結されている。そして、それら複数の締結具を１個のブレーカ用端子カバー（絶縁カバーに相当）で全て包含するように覆っている。
【先行技術文献】
【特許文献】
【０００３】
【特許文献１】特開２０１０−８００７４号公報
【発明の概要】
【発明が解決しようとする課題】
【０００４】
ところで、少なくとも２つの導電体を有する端子台では、隣り合う２つの導電体の間の沿面距離を確保するためにそれら２つの導電体の間に絶縁壁（ここでは「端子台側絶縁壁」という）を設ける場合がある。そして、絶縁性を高めるために絶縁カバーにもそれら２つの導電体を絶縁するための絶縁壁（ここでは「カバー側絶縁壁」という）を設け、カバー側絶縁壁の一方の壁面が端子台側絶縁壁の一方の壁面に対面するように絶縁カバーが取り付けられる場合がある。
【０００５】
しかしながら、その場合、作業者が絶縁カバーを取り付けるとき、カバー側絶縁壁が端子台側絶縁壁を挟んで本来取り付けられる側（すなわち端子台側絶縁壁の上述した一方の壁面側）とは逆側（すなわち端子台側絶縁壁の他方の壁面側）に入り込んでしまい、絶縁カバーを取り付け難いことがあった。
【０００６】
本明細書では、端子台側絶縁壁を有する端子台にカバー側絶縁壁を備える絶縁カバーを取り付ける際の取り付け性を向上させる技術を開示する。
【課題を解決するための手段】
【０００７】
本明細書で開示する絶縁カバーは、少なくとも２つの導電体と前記２つの導電体の間に設けられている端子台側絶縁壁とを有する端子台に取り付けられる絶縁カバーであって、一方の壁面が前記端子台側絶縁壁の一方の壁面に対面するカバー側絶縁壁と、前記カバー側絶縁壁の他方の壁面が前記端子台側絶縁壁の他方の壁面に対面するように当該絶縁カバーが取り付けられようとした場合に前記端子台側絶縁壁に当接して取り付けを規制する規制部と、を備える。
【０００８】
上記の絶縁カバーによると、カバー側絶縁壁が端子台側絶縁壁を挟んで本来取り付けられる側とは逆側に入り込んでしまうことを規制することができる。このため、端子台側絶縁壁を有する端子台にカバー側絶縁壁を備える絶縁カバーを取り付ける際の取り付け性が向上する。
【０００９】
また、前記カバー側絶縁壁と前記規制部とは、当該絶縁カバーの取り付け方向において、当該取り付け方向前端の位置が略一致していてもよい。
【００１０】
例えば絶縁カバーの取り付け方向において規制部の取り付け方向前端の位置がカバー側絶縁壁の取り付け方向前端の位置よりも取り付け方向後側にあるとすると、カバー側絶縁壁の一部が逆側に入り込んだ後に規制部が端子台側絶縁壁に当接することになる。このため、規制部がない場合に比べれば取り付けし直す作業の手間は小さいものの、それでも取り付けし直す作業が生じてしまう。
これに対し、カバー側絶縁壁の取り付け方向前端の位置と規制部の取り付け方向前端の位置とが略一致していると、カバー側絶縁壁の一部が逆側に入り込む前に規制部が端子台側絶縁壁に当接するので、絶縁カバーの取り付け性がより向上する。
【００１１】
また、前記端子台は、３つの前記導電体と、隣り合う２つの前記導電体の間にそれぞれ設けられている２つの前記端子台側絶縁壁とを有するものであり、当該絶縁カバーは、前記２つの端子台側絶縁壁の間に入り込む２つの前記カバー側絶縁壁であって、一方の前記カバー側絶縁壁が一方の前記端子台側絶縁壁に対面し、他方の前記カバー側絶縁壁が他方の前記端子台側絶縁壁に対面する２つの前記カバー側絶縁壁を備え、前記規制部は、前記一方のカバー側絶縁壁と前記他方のカバー側絶縁壁とを接続している接続壁であってもよい。
【００１２】
例えば各カバー側絶縁壁の前述した他方の壁面に規制部を片持ち状に設けることも可能であるが、その場合は片持ちされていることによって規制部の強度が低下し、端子台側絶縁壁に当接した際に破損してしまうことも考えられる。
上記の絶縁カバーによると、規制部の両側が２つのカバー側絶縁壁に接続されているので、片持ち状に設けられる場合に比べて規制部の強度を向上させることができる。
【００１３】
また、前記端子台は前記接続壁の壁面に対面する面を有し、当該絶縁カバーは前記端子台に取り付けられる際に前記接続壁の前記壁面が前記対面する面に平行な方向に移動しながら取り付けられるものであり、前記接続壁の前記壁面に、当該絶縁カバーの取り付け方向前側に向かって前記対面する面から離間するように傾斜するテーパ面が形成されていてもよい。
【００１４】
端子台が接続壁の壁面に対面する面を有しており、絶縁カバーが端子台に取り付けられる際に接続壁の当該壁面が当該対面する面に平行な方向に移動しながら取り付けられる場合、接続壁において取り付け方向前側を向く端面が端子台の当該対面する面に連なる面に当接してしまい、取り付け性が低下してしまう可能性がある。上記の絶縁カバーによると、接続壁にテーパ面が形成されているので、絶縁カバーの取り付け性が低下してしまうことを抑制することができる。
【００１５】
また、本明細書で開示する絶縁カバー付き端子台は、少なくとも２つの導電体と前記２つの導電体の間に設けられている端子台側絶縁壁とを有する端子台と、請求項１乃至請求項４のいずれか一項に記載の絶縁カバーと、を備える。
【００１６】
上記の絶縁カバー付き端子台によると、端子台側絶縁壁を有する端子台にカバー側絶縁壁を備える絶縁カバーを取り付ける際の取り付け性が向上する。
【発明の効果】
【００１７】
本明細書で開示する技術によれば、端子台側絶縁壁を有する端子台にカバー側絶縁壁を備える絶縁カバーを取り付ける際の取り付け性を向上させることができる。
【図面の簡単な説明】
【００１８】
【図１】実施形態に係る端子台、及び、端子台に取り付けられている絶縁カバーを前側から見た斜視図
【図２】端子台及び取り付けられる前の絶縁カバーを後側から見た斜視図
【図３】端子台及び取り付けられている絶縁カバーの側面図
【図４】端子台及び取り付けられる前の絶縁カバーを前側から見た正面図
【図５】絶縁カバーを後側から見た正面図
【図６】絶縁カバーを前側から見た斜視図
【図７】端子台、及び、完全に取り付けられる前の絶縁カバーを前側から見た正面図
【図８】端子台及び取り付けられている絶縁カバーを後側から見た斜視図
【図９】端子台、及び、カバー側絶縁壁が端子台側絶縁壁の他方の壁面に対面するように取り付けられようとした絶縁カバーを前側から見た正面図
【図１０】端子台、及び、比較例に係る絶縁カバーを前側から見た正面図
【発明を実施するための形態】
【００１９】
＜実施形態＞
実施形態を図１ないし図１０に基づいて説明する。以降の説明において上下方向、前後方向及び左右方向とは図１に示す上下方向、前後方向及び左右方向を基準とする。
【００２０】
先ず、図１を参照して、本実施形態に係る絶縁カバー付き端子台１の概略について説明する。絶縁カバー付き端子台１はハイブリッド自動車や電気自動車などに搭載されているインバータの筐体に取り付けられてインバータと３相モータとを電気的に接続するものであり、端子台２と、端子台２に取り付けられる絶縁カバー３とを備えている。
【００２１】
（１）端子台
図１及び図２に示すように、端子台２は基台１０、フランジ部１１、３つのバスバー１２（導電体の一例）、及び、２つの端子台側絶縁壁１３（１３Ａ、１３Ｂ）を備えている。
基台１０は合成樹脂製であり、上面視長方形状をなしている。また、基台１０は上下方向にある程度の厚みを有しており、前後方向の両端部に後述するナット（図示せず）がモールド成形によって埋め込まれている。また、図３に示すように、基台１０の上面においてフランジ部１１より前側にはバスバー１２の中間部が埋め込まれている段部１４が形成されている。
【００２２】
図２に示すように、フランジ部１１は略矩形の板状に形成されており、基台１０がフランジ部１１を板厚方向に貫通する形態で基台１０に一体成形されている。フランジ部１１は端子台２をインバータの筐体にボルトによって固定するためのものであり、四隅にボルト挿通穴１１Ａが設けられている。
【００２３】
バスバー１２は銅や銅合金などで形成された長板状の金属板であり、基台１０の上面に載置された状態で前後方向の両端部の間の中間部がモールド成形によって段部１４に埋め込まれている。
また、バスバー１２の前後方向の両端部にはそれぞれボルト挿通穴１２Ａが設けられている。一方、基台１０には各ボルト挿通穴１２Ａの下方に前述したナットが埋め込まれている。バスバー１２の前側端部には３相モータから延びる電線の先端部に接続されている端子金具（あるいはバスバー）が重ねられ、端子金具とバスバーとがボルトによってナットに伴締めされる。また、バスバー１２の後側端部にはインバータから延びる電線の先端部に接続されている端子金具（あるいはバスバー）が重ねられ、端子金具とバスバー１２とがボルトによってナットに伴締めされる。
【００２４】
２つの端子台側絶縁壁１３はそれぞれ隣り合う２つのバスバー１２の間の沿面距離を確保するためのものであり、フランジ部１１より前側において隣り合う２つのバスバー１２の間から上方に立ち上がっている。図４に示すように、左側の端子台側絶縁壁１３Ａの右側を向く面の上端部には上に向かって左側に傾斜するテーパ面が形成されている。同様に、右側の端子台側絶縁壁１３Ｂの左側を向く面の上端部には上に向かって右側に傾斜するテーパ面が形成されている。
【００２５】
（２）絶縁カバー
図１に示すように、絶縁カバー３は端子台２の前側部分に取り付けられるものである。絶縁カバー３は、図５に示す天井部２１、一対のカバー取り付け部２２、図６に示す２つのカバー側絶縁壁２３（２３Ａ、２３Ｂ）、図５に示す接続壁２４を備えている。接続壁２４は規制部の一例である。
【００２６】
図６に示すように、天井部２１は長板状に形成されており、左右方向の概ね中央部から後側に張り出す張出部２１Ａを有している。
一対のカバー取り付け部２２もそれぞれ板状に形成されており、板面が互いに向き合う姿勢で天井部２１の左右両側から下に向かって延伸している。各カバー取り付け部２２において他方のカバー取り付け部２２側を向く面には基台１０の側面に形成されている係合凹部１０Ａ（図２参照）に係合する係合突起２５が設けられている。
【００２７】
図５及び図６に示すように、２つのカバー側絶縁壁２３及び接続壁２４は天井部２１の下面に一体成形されており、上下方向と直交する断面がコ字状になるように形成されている。
図４に示すように、左側のカバー側絶縁壁２３Ａの下端部は左側が切り欠かれるようにして壁厚が薄くなっており、その下端部の左側を向く面に下に向かって右側に傾斜するテーパ面が形成されている。同様に、右側のカバー側絶縁壁２３Ｂの下端部は右側が切り欠かれるようにして壁厚が薄くなっており、その下端部の右側を向く面に下に向かって左側に傾斜するテーパ面が形成されている。
【００２８】
図５に示すように、接続壁２４は左側のカバー側絶縁壁２３Ａの後側縁部と右側のカバー側絶縁壁２３Ｂの後側縁部とを全高に亘って接続している。接続壁２４の下端部は後側（図５において紙面手前側）が切り欠かれるようにして壁厚が薄くなっており、その下端部の後側を向く面に下（絶縁カバー３の取り付け方向前側の一例）に向かって前側（図５において紙面奥側）に傾斜するテーパ面が形成されている。
【００２９】
また、２つのカバー側絶縁壁２３の下側を向く端面と接続壁２４の下側を向く端面とは面一に形成されている。言い換えると、上下方向（すなわち絶縁カバー３の取り付け方向）において、２つのカバー側絶縁壁２３の下側を向く端面の位置（カバー側絶縁壁の取り付け方向前端の位置の一例）と、接続壁２４の下側を向く端面の位置（規制部の取り付け方向前端の位置の一例）とが略一致している。
【００３０】
（３）絶縁カバーの取り付け
絶縁カバー３は各バスバー１２の前側端部に端子金具が重ねられてナットに伴締めされた後に端子台２に上方から取り付けられる。図４は絶縁カバー３を端子台２に取り付ける際に端子台２の上方にある絶縁カバー３が端子台２に対して左右方向にずれていない場合を示している。この場合は作業者が絶縁カバー３を下に移動させたとき、接続壁２４が左右の端子台側絶縁壁１３に当接しないので、図７に示すように２つのカバー側絶縁壁２３の下端部が２つの端子台側絶縁壁１３の間に入り込む。
【００３１】
そして、左側のカバー側絶縁壁２３Ａは左側を向く壁面（カバー側絶縁壁の一方の壁面の一例）の下端部（テーパ面）が左側の端子台側絶縁壁１３Ａの右側を向く壁面（端子台側絶縁壁の一方の壁面の一例）の上端部（テーパ面）に対面し、右側のカバー側絶縁壁２３Ｂは右側を向く壁面（カバー側絶縁壁の一方の壁面の一例）の下端部（テーパ面）が右側の端子台側絶縁壁１３Ｂの左側を向く壁面（端子台側絶縁壁の一方の壁面の一例）の上端部（テーパ面）に対面する。
【００３２】
そして、図７に示す状態から絶縁カバー３が下に押し込まれると係合突起２５が係合凹部１０Ａに係合して絶縁カバー３が基台１０に取り付けられる。
【００３３】
図８に示すように、絶縁カバー３が端子台２に取り付けられると、接続壁２４の後側を向く壁面の下端部（テーパ面）が端子台２の段部１４の前側を向く段差面１４Ａ（図３参照）に対面する。すなわち、端子台２は接続壁２４の壁面に対面する面（段差面１４Ａ）を有しており、絶縁カバー３が端子台２に取り付けられるとき、絶縁カバー３は後側を向く壁面が段差面１４Ａに平行な方向に移動しながら取り付けられる。
【００３４】
（４）実施形態の効果
本実施形態に係る絶縁カバー３の効果を、図１０に示す比較例と比較して説明する。図１０に示す絶縁カバー５０（比較例）は本実施形態に係る絶縁カバー３から接続壁２４をなくしたものである。接続壁２４がないと、図１０に示すように絶縁カバー５０が端子台２に対して右側にずれた状態で取り付けられようとした場合に、右側のカバー側絶縁壁２３Ｂが右側の端子台側絶縁壁１３Ｂを挟んで本来取り付けられる側（すなわち右側の端子台側絶縁壁１３Ｂの左側）とは逆側（すなわち右側の端子台側絶縁壁１３Ｂの右側）に入り込んでしまい、絶縁カバー５０を取り付け難いことがあった。
【００３５】
言い換えると、右側のカバー側絶縁壁２３Ｂの左側を向く壁面（カバー側絶縁壁の他方の壁面の一例）が右側の端子台側絶縁壁１３Ｂの右側を向く壁面（端子台側絶縁壁の他方の壁面の一例）に対面するように絶縁カバー５０が取り付けられようとしてしまい、絶縁カバー５０を取り付け難いことがあった。絶縁カバー５０が端子台２に対して左側にずれた状態で取り付けられようとした場合も同様である。
【００３６】
これに対し、絶縁カバー３によると、図９に示すように、右側のカバー側絶縁壁２３Ｂの左側を向く壁面が右側の端子台側絶縁壁１３Ｂの右側を向く壁面に対面するように絶縁カバー３が取り付けられようとした場合は、接続壁２４が右側の端子台側絶縁壁１３Ｂに当接して取り付けが規制される。
すなわち、絶縁カバー３によると、カバー側絶縁壁２３が端子台側絶縁壁１３を挟んで本来取り付けられる側とは逆側に入り込んでしまうことを規制することができる。このため、端子台側絶縁壁１３を有する端子台２にカバー側絶縁壁２３を備える絶縁カバー３を取り付ける際の取り付け性が向上する。
【００３７】
更に、絶縁カバー３によると、上下方向において、２つのカバー側絶縁壁２３の下側を向く端面の位置と、接続壁２４の下側を向く端面の位置とが略一致している。例えば接続壁２４の下側を向く端面の位置がカバー側絶縁壁２３の下側を向く端面の位置よりも上側にあるとすると、カバー側絶縁壁２３の一部が本来取り付けられる側とは逆側に入り込んだ後に接続壁２４が端子台側絶縁壁１３に当接することになる。このため、接続壁２４がない場合に比べれば取り付けし直す作業の手間は小さいものの、それでも取り付けし直す作業が生じてしまう。
これに対し、上下方向においてカバー側絶縁壁２３の下側を向く端面の位置と接続壁２４の下側を向く端面の位置とが略一致していると、カバー側絶縁壁２３の一部が逆側に入り込む前に接続壁２４が端子台側絶縁壁１３に当接するので、絶縁カバー３の取り付け性がより向上する。
【００３８】
更に、絶縁カバー３によると、規制部は左側のカバー側絶縁壁２３Ａと右側のカバー側絶縁壁２３Ｂとを接続している接続壁２４である。例えば各カバー側絶縁壁２３の前述した他方の壁面に規制部を片持ち状に設けることも可能であるが、その場合は片持ちされていることによって規制部の強度が低下し、端子台側絶縁壁１３に当接した際に破損してしまうことも考えられる。絶縁カバー３によると、規制部の両側が２つのカバー側絶縁壁２３に接続されているので、片持ち状に設けられる場合に比べて規制部の強度を向上させることができる。
【００３９】
更に、絶縁カバー３によると、端子台２は接続壁２４の後側を向く壁面に対面する段差面１４Ａを有しており、絶縁カバー３は端子台２に取り付けられる際に接続壁２４の後側を向く壁面が段差面１４Ａに平行な方向に移動しながら取り付けられる。この場合、接続壁２４の下側を向く端面（すなわち接続壁２４において取り付け方向前側を向く端面）が端子台２の段部１４の上面（すなわち段差面１４Ａに連なる面）に当接してしまい、取り付け性が低下してしまう可能性がある。絶縁カバー３によると、接続壁２４の後側を向く壁面の下端部にテーパ面が形成されているので、絶縁カバー３を取り付ける際に接続壁２４がそのテーパ面によって段差面１４Ａの前側に誘い込まれる。このため、絶縁カバー３の取り付け性が低下してしまうことを抑制することができる。
【００４０】
＜他の実施形態＞
本明細書によって開示される技術は上記記述及び図面によって説明した実施形態に限定されるものではなく、例えば次のような実施形態も本明細書によって開示される技術的範囲に含まれる。
【００４１】
（１）上記実施形態では絶縁カバー３が上方から端子台２に取り付けられる場合を例に説明したが、絶縁カバー３は前側から後側に向かって端子台２に取り付けられてもよい。その場合であっても、上記実施形態では接続壁２４が２つのカバー側絶縁壁２３の後側縁部を接続するように設けられているので、カバー側絶縁壁２３が本来取り付けられる側とは逆側に入り込んでしまうことを規制することができる。
【００４２】
（２）上記実施形態では規制部として２つのカバー側絶縁壁２３を接続する接続壁２４を例に説明したが、規制部は必ずしも接続壁２４でなくてもよい。例えば、規制部は各カバー側絶縁壁２３の前述した他方の壁面から他方のカバー側絶縁壁２３側に向かって片持ち状に延びる突部であってもよい。
【００４３】
（３）上記実施形態では端子台２に３つのバスバー１２と２つの端子台側絶縁壁１３とが設けられており、絶縁カバー３に２つのカバー側絶縁壁２３が設けられている場合を例に説明した。これに対し、バスバー１２の数を２つとし、端子台２に１つの端子台側絶縁壁１３を設けるとともに、絶縁カバー３に１つのカバー側絶縁壁２３を設けてもよい。あるいは、バスバー１２の数を４つ以上とし、端子台２に３つ以上の端子台側絶縁壁１３を設けるとともに、絶縁カバー３に３つ以上のカバー側絶縁壁２３を設けてもよい。
【００４４】
（４）上記実施形態では接続壁２４にテーパ面が形成されている場合を例に説明したが、テーパ面は必ずしも設けなくてもよい。
【符号の説明】
【００４５】
１…絶縁カバー付き端子台、２…端子台、３…絶縁カバー、１２…バスバー（導電体の一例）、１３（１３Ａ，１３Ｂ）…端子台側絶縁壁、１４Ａ…段差面（接続壁の壁面に対面する面の一例）、２３（２３Ａ，２３Ｂ）…カバー側絶縁壁、２４…接続壁（規制部の一例）
【図１】
0006601318.tif 000002
【図２】
0006601318.tif 000003
【図３】
0006601318.tif 000004
【図４】
0006601318.tif 000005
【図５】
0006601318.tif 000006
【図６】
0006601318.tif 000007
【図７】
0006601318.tif 000008
【図８】
0006601318.tif 000009
【図９】
0006601318.tif 000010
【図１０】
0006601318.tif 000011